【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
アプリケーションサービスを、組込の接続管理にバンドルするための方法において、
アクセス端末において、アプリケーションサービスプロバイダに関係するアプリケーションサービスを備えるソフトウェアアプリケーションを起動させることと、
前記ソフトウェアアプリケーションにより、前記ソフトウェアアプリケーションに関係する前記アプリケーションサービスを使用するための接続ネットワークとの接続の必要性を検出することと、
前記ソフトウェアアプリケーションの組込の接続管理を使用するプロセッサにより、接続を確立することと、
前記確立された接続を利用して、前記ソフトウェアアプリケーションに関係する前記アプリケーションサービスを実行することと
を含み、
前記組込の接続管理は、前記接続を確立するために必要な情報を有し、前記情報は、前記ソフトウェアアプリケーションの代理で接続をネゴシエートする、前記アプリケーションサービスプロバイダに関係する接続エージェントを識別し、前記接続エージェントは、接続のための少なくとも１つのパラメータを含む、前記接続ネットワークとの接続契約をネゴシエートし、前記接続エージェントは、前記接続ネットワークを介して前記アクセス端末の反対側に位置する、方法。
【請求項２】
接続が確立されたか否かを決定することをさらに含む、請求項１記載の方法。
【請求項３】
前記接続のための前記少なくとも１つのパラメータは前記接続のコストを含む、請求項１記載の方法。
【請求項４】
前記接続エージェントには、前記接続ネットワークを介して到達可能であり、前記接続エージェントは、公式フルドメイン名（ＦＱＤＮ）、サービスアドレス、または、インターネットプロトコル（ＩＰ）アドレスのうちの１つによって識別される、請求項１記載の方法。
【請求項５】
前記情報は、接続ネゴシエーション命令を含み、前記接続エージェントは、前記接続ネゴシエーション命令を使用する前記ソフトウェアアプリケーションの代理で接続をネゴシエートする、請求項１記載の方法。
【請求項６】
前記組込の接続管理は、前記接続ネットワークを介して接続確立シグナルを実行するための、ユーザデバイス内のエンティティに対して提供される情報をさらに有する、請求項１記載の方法。
【請求項７】
前記情報は、前記ソフトウェアアプリケーションと前記エンティティとの間でアプリケーションプログラミングインターフェース（ＡＰＩ）を通して提供される、請求項６記載の方法。
【請求項８】
前記情報は、接続ネゴシエーション命令を含む、請求項６記載の方法。
【請求項９】
前記組込の接続管理は、前記接続エージェントに送られることになる特定の情報をさらに有し、前記特定の情報は、前記ソフトウェアアプリケーションまたは前記接続エージェントのいずれかに関係する、請求項６記載の方法。
【請求項１０】
接続は、接続チャンクでの購入に対して利用可能である、請求項１記載の方法。
【請求項１１】
前記接続チャンクは、許容されるデータ量に関して規定される、請求項１０記載の方法。
【請求項１２】
前記接続チャンクは、許容される接続時間に関して規定される、請求項１０記載の方法。
【請求項１３】
前記接続チャンクの価格は、前記接続チャンクの特性に基づいている、請求項１０記載の方法。
【請求項１４】
前記接続エージェントは、前記接続チャンクを購入するための支払方法に関する情報を有する、請求項１０記載の方法。
【請求項１５】
前記接続チャンクのうちの少なくとも１つの接続チャンクを使用して、前記ソフトウェアアプリケーションに関係するサービスを実行する、請求項１０記載の方法。
【請求項１６】
前記組込の接続管理は、支払方法に関する情報を有する、請求項１０記載の方法。
【請求項１７】
前記支払方法は、
接続のチャンクを販売している前記接続ネットワークによって受け入れられるトークン；
支払エージェントの識別子；
ソフトウェアアプリケーションの代理で、前記接続ネットワークに支払うための支払エージェントに配信されることになる情報；
支払エージェントを介して実行される支払；
クレジットカード番号；または
予め確立されたクレジットもしくはデビット額
のうちの１つである、請求項１６記載の方法。
【請求項１８】
前記ソフトウェアアプリケーションに関係する前記アプリケーションサービスは、ネットワークに対する接続とは異なる、請求項１記載の方法。
【請求項１９】
アプリケーションサービスを、組込の接続管理にバンドルするアクセス端末において、
アプリケーションサービスプロバイダおよびソフトウェアアプリケーションに関係する前記アプリケーションサービスを使用するための接続ネットワークとの接続の必要性を検出するソフトウェアアプリケーションと、
前記ソフトウェアアプリケーションを起動させるプロセッサと、
前記ソフトウェアアプリケーションの組込の接続管理からの命令によって、接続を確立する通信コンポーネントと
を具備し、
前記プロセッサは、
前記確立された接続を利用して、前記ソフトウェアアプリケーションに関係する前記アプリケーションサービスを実行し、
前記組込の接続管理は、前記接続を確立するために必要な情報を有し、前記情報は、前記ソフトウェアアプリケーションの代理で接続をネゴシエートする、前記アプリケーションサービスプロバイダに関係する接続エージェントを識別し、前記接続エージェントは、接続のための少なくとも１つのパラメータを含む、前記接続ネットワークとの接続契約をネゴシエートし、前記接続エージェントは、前記接続ネットワークを介して前記アクセス端末の反対側に位置する、アクセス端末。
【請求項２０】
前記通信コンポーネントは、接続が確立されたか否かをさらに決定する、請求項１９記載のアクセス端末。
【請求項２１】
接続のための前記少なくとも１つのパラメータは、前記接続のコストを含む、請求項１９記載のアクセス端末。
【請求項２２】
前記接続エージェントには、前記接続ネットワークを介して到達可能であり、前記接続エージェントは、公式フルドメイン名（ＦＱＤＮ）、サービスアドレス、または、インターネットプロトコル（ＩＰ）アドレスのうちの１つによって識別される、請求項１９記載のアクセス端末。
【請求項２３】
前記情報は、接続ネゴシエーション命令を含み、前記接続エージェントは、前記接続ネゴシエーション命令を使用する前記ソフトウェアアプリケーションの代理で接続をネゴシエートする、請求項１９記載のアクセス端末。
【請求項２４】
前記組込の接続管理は、前記接続ネットワークを介して接続確立シグナルを実行するための、ユーザデバイス内のエンティティに対して提供される情報をさらに有する、請求項１９記載のアクセス端末。
【請求項２５】
前記情報は、前記ソフトウェアアプリケーションと前記エンティティとの間でアプリケーションプログラミングインターフェース（ＡＰＩ）を通して提供される、請求項２４記載のアクセス端末。
【請求項２６】
前記情報は、接続ネゴシエーション命令を含む、請求項２４記載のアクセス端末。
【請求項２７】
前記組込の接続管理は、前記接続エージェントに送られることになる特定の情報をさらに有し、前記特定の情報は、前記ソフトウェアアプリケーションまたは前記接続エージェントのいずれかに関係する、請求項２４記載のアクセス端末。
【請求項２８】
接続は、接続チャンクでの購入に対して利用可能である、請求項１９記載のアクセス端末。
【請求項２９】
前記接続チャンクは、許容されるデータ量に関して規定される、請求項２８記載のアクセス端末。
【請求項３０】
前記接続チャンクは、許容される接続時間に関して規定される、請求項２８記載のアクセス端末。
【請求項３１】
前記接続チャンクの価格は、前記接続チャンクの特性に基づいている、請求項２８記載のアクセス端末。
【請求項３２】
前記接続エージェントは、前記接続チャンクを購入するための支払方法に関する情報を有する、請求項２８記載のアクセス端末。
【請求項３３】
前記接続チャンクのうちの少なくとも１つの接続チャンクを使用して、前記ソフトウェアアプリケーションに関係するサービスを実行する、請求項２８記載のアクセス端末。
【請求項３４】
前記組込の接続管理は、支払方法に関する情報を有する、請求項２８記載のアクセス端末。
【請求項３５】
前記支払方法は、
接続のチャンクを販売している前記接続ネットワークによって受け入れられるトークン；
支払エージェントの識別子；
ソフトウェアアプリケーションの代理で、前記接続ネットワークに支払うための支払エージェントに配信されることになる情報；
支払エージェントを介して実行される支払；
クレジットカード番号；または
予め確立されたクレジットもしくはデビット額
のうちの１つである、請求項３４記載のアクセス端末。
【請求項３６】
アプリケーションサービスを、組込の接続管理にバンドルする装置において、
アクセス端末において、アプリケーションサービスプロバイダに関係するアプリケーションサービスを備えるソフトウェアアプリケーションを起動させる手段と、
前記ソフトウェアアプリケーションにより、前記ソフトウェアアプリケーションに関係する前記アプリケーションサービスを使用するための接続ネットワークとの接続の必要性を検出する手段と、
前記ソフトウェアアプリケーションの組込の接続管理を使用して、接続を確立する手段と、
前記確立された接続を利用して、前記ソフトウェアアプリケーションに関係する前記アプリケーションサービスを実行する手段と
を具備し、
前記組込の接続管理は、接続を確立するために必要な情報を有し、前記情報は、前記ソフトウェアアプリケーションの代理で接続をネゴシエートする、前記アプリケーションサービスプロバイダに関係する接続エージェントを識別し、前記接続エージェントは、接続のための少なくとも１つのパラメータを含む、前記接続ネットワークとの接続契約をネゴシエートし、前記接続エージェントは、前記接続ネットワークを介して前記アクセス端末の反対側に位置する、装置。
【請求項３７】
接続が確立されたか否かを決定する手段をさらに具備する、請求項３６記載の装置。
【請求項３８】
接続のための前記少なくとも１つのパラメータは、前記接続のコストを含む、請求項３６記載の装置。
【請求項３９】
前記接続エージェントには、前記接続ネットワークを介して到達可能であり、前記接続エージェントは、公式フルドメイン名（ＦＱＤＮ）、サービスアドレス、または、インターネットプロトコル（ＩＰ）アドレスのうちの１つによって識別される、請求項３６記載の装置。
【請求項４０】
前記情報は、接続ネゴシエーション命令を含み、前記接続エージェントは、前記接続ネゴシエーション命令を使用する前記ソフトウェアアプリケーションの代理で接続をネゴシエートする、請求項３６記載の装置。
【請求項４１】
前記組込の接続管理は、前記接続ネットワークを介して接続確立シグナルを実行するための、ユーザデバイス内のエンティティに対して提供される情報をさらに有する、請求項３６記載の装置。
【請求項４２】
前記情報は、前記ソフトウェアアプリケーションと前記エンティティとの間でアプリケーションプログラミングインターフェース（ＡＰＩ）を通して提供される、請求項４１記載の装置。
【請求項４３】
前記情報は、接続ネゴシエーション命令を含む、請求項４１記載の装置。
【請求項４４】
前記組込の接続管理は、前記接続エージェントに送られることになる特定の情報をさらに有し、前記特定の情報は、前記ソフトウェアアプリケーションまたは前記接続エージェントのいずれかに関係する、請求項４１記載の装置。
【請求項４５】
接続は、接続チャンクでの購入に対して利用可能である、請求項３６記載の装置。
【請求項４６】
前記接続チャンクは、許容されるデータ量に関して規定される、請求項４５記載の装置。
【請求項４７】
前記接続チャンクは、許容される接続時間に関して規定される、請求項４５記載の装置。
【請求項４８】
前記接続チャンクの価格は、前記接続チャンクの特性に基づいている、請求項４５記載の装置。
【請求項４９】
前記接続エージェントは、前記接続チャンクを購入するための支払方法に関する情報を有する、請求項４５記載の装置。
【請求項５０】
前記接続チャンクのうちの少なくとも１つの接続チャンクを使用して、前記ソフトウェアアプリケーションに関係するサービスを実行する、請求項４５記載の装置。
【請求項５１】
前記組込の接続管理は、支払方法に関する情報を有する、請求項４５記載の装置。
【請求項５２】
前記支払方法は、
接続のチャンクを販売している前記接続ネットワークによって受け入れられるトークン；
支払エージェントの識別子；
ソフトウェアアプリケーションの代理で、前記接続ネットワークに支払うための支払エージェントに配信されることになる情報；
支払エージェントを介して実行される支払；
クレジットカード番号；または
予め確立されたクレジットもしくはデビット額
のうちの１つである、請求項５１記載の装置。
【請求項５３】
コンピュータ実行可能なコードを記憶するコンピュータ読取可能記憶媒体において、
前記コードは、
アクセス端末において、アプリケーションサービスプロバイダに関係するアプリケーションサービスを備えるソフトウェアアプリケーションを起動し、
前記ソフトウェアアプリケーションを介して、前記ソフトウェアアプリケーションに関係する前記アプリケーションサービスを使用するための接続ネットワークとの接続の必要性を検出し、
前記ソフトウェアアプリケーションの組込の接続管理を使用して、接続を確立し、
前記確立された接続を利用して、前記ソフトウェアアプリケーションに関係する前記アプリケーションサービスを実行させる
ためのコードを含み、
前記組込の接続管理は、接続を確立するために必要な情報を有し、前記情報は、前記ソフトウェアアプリケーションの代理で接続をネゴシエートする、前記アプリケーションサービスプロバイダに関係する接続エージェントを識別し、前記接続エージェントは、接続のための少なくとも１つのパラメータを含む、前記接続ネットワークとの接続契約をネゴシエートし、前記接続エージェントは、前記接続ネットワークを介して前記アクセス端末の反対側に位置する、コンピュータ読取可能記憶媒体。
【請求項５４】
前記コードはまた、
接続が確立されたか否かを決定するためのコードを含む、請求項５３記載のコンピュータ読取可能記憶媒体。
【請求項５５】
接続のための前記少なくとも１つのパラメータは、前記接続のコストを含む、請求項５３記載のコンピュータ読取可能記憶媒体。
【請求項５６】
前記接続エージェントには、前記接続ネットワークを介して到達可能であり、前記接続エージェントは、公式フルドメイン名（ＦＱＤＮ）、サービスアドレス、または、インターネットプロトコル（ＩＰ）アドレスのうちの１つによって識別される、請求項５３記載のコンピュータ読取可能記憶媒体。
【請求項５７】
前記情報は、接続ネゴシエーション命令を含み、前記接続エージェントは、前記接続ネゴシエーション命令を使用する前記ソフトウェアアプリケーションの代理で接続をネゴシエートする、請求項５３記載のコンピュータ読取可能記憶媒体。
【請求項５８】
前記組込の接続管理は、前記接続ネットワークを介して接続確立シグナルを実行するための、ユーザデバイス内のエンティティに対して提供される情報をさらに有する、請求項５３記載のコンピュータ読取可能記憶媒体。
【請求項５９】
前記情報は、前記ソフトウェアアプリケーションと前記エンティティとの間でアプリケーションプログラミングインターフェース（ＡＰＩ）を通して提供される、請求項５８記載のコンピュータ読取可能記憶媒体。
【請求項６０】
前記情報は、接続ネゴシエーション命令を含む、請求項５８記載のコンピュータ読取可能記憶媒体。
【請求項６１】
前記組込の接続管理は、前記接続エージェントに送られることになる特定の情報をさらに有し、前記特定の情報は、前記ソフトウェアアプリケーションまたは前記接続エージェントのいずれかに関係する、請求項５８記載のコンピュータ読取可能記憶媒体。
【請求項６２】
接続は、接続チャンクでの購入に対して利用可能である、請求項５３記載のコンピュータ読取可能記憶媒体。
【請求項６３】
前記接続チャンクは、許容されるデータ量に関して規定される、請求項６２記載のコンピュータ読取可能記憶媒体。
【請求項６４】
前記接続チャンクは、許容される接続時間に関して規定される、請求項６２記載のコンピュータ読取可能記憶媒体。
【請求項６５】
前記接続チャンクの価格は、前記接続チャンクの特性に基づいている、請求項６２記載のコンピュータ読取可能記憶媒体。
【請求項６６】
前記接続エージェントは、前記接続チャンクを購入するための支払方法に関する情報を有する、請求項６２記載のコンピュータ読取可能記憶媒体。
【請求項６７】
前記接続チャンクのうちの少なくとも１つの接続チャンクを使用して、前記ソフトウェアアプリケーションに関係するサービスを実行する、請求項６２記載のコンピュータ読取可能記憶媒体。
【請求項６８】
前記組込の接続管理は、支払方法に関する情報を有する、請求項６２記載のコンピュータ読取可能記憶媒体。
【請求項６９】
前記支払方法は、
接続のチャンクを販売している前記接続ネットワークによって受け入れられるトークン；
支払エージェントの識別子；
ソフトウェアアプリケーションの代理で、前記接続ネットワークに支払うための支払エージェントに配信されることになる情報；
支払エージェントを介して実行される支払；
クレジットカード番号；または
予め確立されたクレジットもしくはデビット額
のうちの１つである、請求項６８記載のコンピュータ読取可能記憶媒体。
【請求項７０】
アプリケーションサービスを、組込の接続管理にバンドルするように構成された少なくとも１つのプロセッサにおいて、
アクセス端末において、アプリケーションサービスプロバイダに関係するアプリケーションサービスを備えるソフトウェアアプリケーションを起動させる第１のモジュールと、
前記ソフトウェアアプリケーションにより、前記ソフトウェアアプリケーションに関係する前記アプリケーションサービスを使用するための接続ネットワークとの接続の必要性を検出する第２のモジュールと、
前記ソフトウェアアプリケーションの組込の接続管理を使用して、接続を確立する第３のモジュールと、
前記確立された接続を利用して、前記ソフトウェアアプリケーションに関係する前記アプリケーションサービスを実行する第４のモジュールとを具備し、
前記組込の接続管理は、前記接続を確立するために必要な情報を有し、前記情報は、前記ソフトウェアアプリケーションの代理で接続をネゴシエートする、前記アプリケーションサービスプロバイダに関係する接続エージェントを識別し、前記接続エージェントは、接続のための少なくとも１つのパラメータを含む、前記接続ネットワークとの接続契約をネゴシエートし、前記接続エージェントは、前記接続ネットワークを介して前記アクセス端末の反対側に位置する、少なくとも１つのプロセッサ。